(57)【要約】    【課題】  回収を行ってもらうユーザー側、回収業者側双方にとってメリットの大きい廃品回収システムを提供することを目的とする。    【解決手段】  上記課題を解決するために本発明に係る廃品回収システムは、予め近接した地域に居住するユーザーに対して同一パスワードを付与し、当該パスワードをユーザーがネットワークに接続された利用者端末に入力或は選択クリックすることで、当該ユーザーの居住する地域における廃品の回収日時を知ることを可能とした。    【選択図】  図１
2005242504.tif 000002
【特許請求の範囲】
【請求項１】
予め近接した地域に居住するユーザーに対して同一パスワードを付与し、当該パスワードをユーザーがネットワークに接続された利用者端末に入力或は選択することで、当該ユーザーの居住する地域における廃品の回収日時を知ることを可能とした廃品回収システム。
【発明の詳細な説明】
【技術分野】
【０００１】
本発明は古紙や不用になった衣類等の廃品を回収するシステムに関し、より詳しくはインターネット等のネットワークを介してユーザーが廃品の回収日時を知ることを可能とした廃品回収システムに関する。
【背景技術】
【０００２】
資源の再利用を図り、もって環境保護を図るため古紙や不用になった衣類等の廃品を回収し再生使用することが行われている。そして、この廃品回収は一般的には回収業者が回収日時を記載したビラを配り、当該ビラに記載された日時に回収に訪れるといった方法で行っている。
【０００３】
しかし、係る回収方法では回収業者が回収の度にビラを配布することが必要であり、回収業者にとって負担が大きいものである。
【０００４】
そこで係る不都合を回避することが可能なシステムの一例として、特開２００２−２５９５３３号公報記載の回収システムがある。
【０００５】
ここに特開２００２−２５９５３３号公報記載のシステムは、消費者がインターネットを介して廃品回収を申し込むことで当該消費者の居住地に近い登録業者が消費者の希望日時に回収に訪れるというものである。
【特許文献１】特開２００２−２５９５３３号公報
【発明の開示】
【発明が解決しようとする課題】
【０００６】
特開２００２−２５９５３３号公報記載の発明は、消費者が自らの希望日時に廃品回収を行ってもらえるという点で消費者にとってメリットの大きいものといえる。
【０００７】
しかし、回収業者の側にとっては負担の大きいシステムである。つまり消費者の居住地に近い登録業者が回収に赴くとはいえ、登録業者の担当する範囲はある程度広域にならざるを得ず、その範囲内の一軒にわざわざ出向くことは業者にとって負担が大きいのである。
【０００８】
そこで本発明は回収を行ってもらうユーザー側、回収業者側双方にとってメリットの大きい廃品回収システムを提供することを目的とする。
【課題を解決するための手段】
【０００９】
上記課題を解決するために本発明に係る廃品回収システムは、予め近接した地域に居住するユーザーに対して同一パスワードを付与し、当該パスワードをユーザーがネットワークに接続された利用者端末に入力或は選択クリックすることで、当該ユーザーの居住する地域における廃品の回収日時を知ることを可能とした。
【発明の効果】
【００１０】
本発明によればユーザーは端末にパスワードを入力し、或は端末に表示されたパスワードを選択クリックすることで廃品回収日時を知ることが可能であり、ユーザーにとってメリットが大きいものである。
【００１１】
一方で業者側にとっても近接した地域に居住する複数ユーザーに対する回収を同一日に行うことが可能となり負担が小さいものである。しかも、ビラの配布等の手段で一度パスワードを付与しておけば、従来のように回収日ごとにビラ等を配布する必要はなく、回収業者にとって大きなメリットをもたらすものである。  かようにして本発明によれば、回収を行ってもらうユーザー側、回収業者側双方にとってメリットの大きい廃品回収システムを提供することが可能となるのである。
【発明を実施するための最良の形態】
【００１２】
以下、好ましい発明の実施形態につき図面を参照しながら述べる。
【００１３】
図１は本発明に係る廃品回収システムの実施形態を示す概念図である。
【００１４】
本発明に係る廃品回収システムは、画面上で廃品回収の日時を知ることが可能な利用者端末１と、廃品回収を行う回収業者２と、利用者端末１と回収業者を通信接続するネットワーク３とから構成されている。
【００１５】
ここに利用者端末１とはパソコン等の情報処理装置や携帯電話等のモバイル端末である。係る利用者端末１を用いて、インターネット等のネットワーク３に接続されたサーバー上に回収業者１が設置したホームページにアクセスするものである。
【００１６】
図２乃至図５は回収業者が開設するホームページの画面表示例を示す図である。
【００１７】
ユーザーが、回収業者がネットワーク上に開設したホームページにアクセスすると、図２に示すトップページが表示される。トップページには「ご利用方法」や「回収できるもの」といった文字列が表示されており、当該文字列を選択クリックすると当該文字列にリンクされたページが表示され、具体的な利用方法の説明や回収可能品目が表示される仕組みになっている。
【００１８】
以下、丁県戊市のＤ１７地区に在住する「Ｄ１７」というパスワードを付与されたユーザーが本システムを利用するという前提で解説する。
【００１９】
まず、丁県戊市に在住することから、図２に示すトップページの「丁県戊市」の文字列を選択クリックすると当該文字列にリンクされたページ、具体的には図３に示すページが表示される。ここでユーザーは自らの地区を示す「Ｄ」の文字を選択クリックするか、或はパスワード入力欄４に「Ｄ１７」というパスワードを入力し、「ＯＫ」欄５を選択クリックする。
【００２０】
「Ｄ」の文字を選択クリックすると、当該「Ｄ」の文字にリンクされた図４に示すページが表示される。そして図４に示す「１７」の文字列を選択クリックすると当該文字列にリンクされた図５に示すページが表示され、Ｄ１７地区の回収日時が示されるのである。
【００２１】
一方で図３に示すページでパスワードを入力し「ＯＫ」欄５を選択クリックすると、図５に示すページが表示され、Ｄ１７地区の回収日時が表示されるのである。
【００２２】
以上のホームページ例はむろん一つの例示であり、要はユーザーがパスワードを入力するか、或は表示されたパスワードを選択クリックすれば当該ユーザーの居住地区の回収日時が表示されるものであればよい。
【００２３】
また、パスワードの付与方法はビラを配布する、回収業者が開設するホームページに住所からパスワード調べることが可能な検索欄を設ける、当該ホームページに住所ごとのパスワードを示した一覧を設ける、当該ホームページに表示された地図上の任意点をクリックすれば当該地点のパスワードが表示されるといった方法が考えられる。
【００２４】
本発明に係る回収システムの概略は以上のようなものであり、回収業者は地区ごとの回収日時を更新していけば本システムを維持していくことが可能となるのである。
【図面の簡単な説明】
【００２５】
【図１】本発明に係る廃品回収システムの実施形態を示す概念図。
【図２】回収業者が開設するホームページの画面表示例を示す図。
【図３】回収業者が開設するホームページの画面表示例を示す図。
【図４】回収業者が開設するホームページの画面表示例を示す図。
【図５】回収業者が開設するホームページの画面表示例を示す図。
【符号の説明】
【００２６】
１・・利用者端末      ２・・回収業者
３・・ネットワーク
【図１】
2005242504.tif 000003
【図２】
2005242504.tif 000004
【図３】
2005242504.tif 000005
【図４】
2005242504.tif 000006
【図５】
2005242504.tif 000007